(57)【特許請求の範囲】
【請求項１】
光ファイバを有するファイバスタブと、
前記ファイバスタブの一端を保持するための貫通孔を有する電気絶縁性のホルダと、
前記ホルダの外表面の少なくとも一部に設けられている接合部材と、
前記ファイバスタブの前記光ファイバに向けて光を出射する、または、前記ファイバスタブの前記光ファイバを介して導出された光を受けるための光素子と、
前記接合部材を介して前記ホルダと接合され、かつ前記光素子を収容する筺体と、
を備えることを特徴とする光モジュール。
【請求項２】
前記接合部材は、リング形状をなしていることを特徴とする、請求項１に記載の光モジュール。
【請求項３】
前記接合部材は、前記ホルダに圧入固定されていることを特徴とする、請求項２に記載の光モジュール。
【請求項４】
前記接合部材は、前記ホルダの後端側の端面まで延在していることを特徴とする、請求項１乃至３のいずれか一つに記載の光モジュール。
【請求項５】
前記接合部材は、金属からなることを特徴とする、請求項１乃至４のいずれか一つに記載の光モジュール。
【請求項６】
前記ホルダは、セラミックスからなることを特徴とする、請求項１乃至５のいずれか一つに記載の光モジュール。
【発明の詳細な説明】
【技術分野】
【０００１】
本発明は、光モジュールに関し、特に光通信用の光モジュールに関する。
【背景技術】
【０００２】
従来から、光信号を例えば電気信号に変換するための光モジュールが開発されている。このような光モジュールは、半導体レーザやフォトダイオードなどの光素子と、光信号を導通するための光ファイバとを備えている。光モジュールは、光素子を光ファイバの端面に対向配置して光信号を該端面に入射（あるいは該端面から出射）することにより、光ファイバを介して該光信号を導入あるいは導出するように構成されている。
【０００３】
図４は、従来技術に係る光レセプタクル１０１を備えた光モジュール１０３を示す断面図である。従来の光レセプタクル１０１は、ファイバスタブ１１０と、スリーブ１２０と、金属製のスリーブケース１３０と、金属製のホルダ１４０とから構成されている。
【０００４】
上記光レセプタクル１０１において、ジルコニア、アルミナ等のセラミック材料からなるフェルール１１１の貫通孔に石英ガラス等からなる光ファイバ１１２が挿入固定されて得られたファイバスタブ１１０の後端部が、金属製のホルダ１４０に圧入して固定されている。他方、先端部がスリーブ１２０の内孔に挿入されるとともに、スリーブ１２０を保護するためのスリーブケース１３０がホルダ１４０に圧入または接着されることによって固定されている。
【０００５】
さらに、上述の光レセプタクル１０１を用いて光モジュール１０３を構成する場合には、光レセプタクル１０１のファイバスタブ１１０を備えた後端面側に、光素子１６１及びレンズ１６２を備えた金属製の筺体１６３を溶接により接合し、光レセプタクル１０１の先端面側より、スリーブ１２０の内孔にプラグフェルール１５１を挿入し、光ファイバ１５２の端面を当接させて、光信号のやりとりを行うことができる。
【０００６】
また、光モジュール１０３においては、光源に入射される反射戻り光を防止する目的で光アイソレータ素子１６５を使用する場合は、光アイソレータ素子１６５が光レセプタクル１０１のファイバスタブ１１０の後端に固定され、磁石１６６はホルダ１４０の端面と接合され、光アイソレータ素子１６５が磁石１６６の貫通孔に配置した構造となっている（例えば、特許文献１参照）。
【０００７】
【特許文献１】特開２００５−２３３５８７号公報
【発明の開示】
【発明が解決しようとする課題】
【０００８】
光モジュールを用いた光通信においては、情報の送受信量の増大に伴い、光モジュールの小型化、光信号の伝送速度の高速化に対する要求が高まっている。
【０００９】
従来の光レセプタクル１０１では、ホルダ１４０が金属で構成されており、光素子１６１及びレンズ１６２を備えた筺体１６３に対して溶接で接合されている。ＬＤモジュールの場合では、筺体１６３は一般的に回路のグランドまたは電源に接続されており、レセプタクル全体は回路のグランドまたは電源と同電位となるため、レセプタクル自体が回路のグランドまたは電源に乗っている雑音電波（ノイズ）を放射させるという問題がある。また、ＰＤモジュールの場合では、スリーブケース１３０やホルダ１４０等の金属部分が受信部（アンテナ）となって雑音電波（ノイズ）を受けてしまい、受信感度が劣化するという問題がある。特に、伝送速度が高速になればなるほど、広帯域化が必要となるが、正確な電気信号と雑音電波（ノイズ）とが混在することにより、受信感度が著しく劣化してしまい、光信号の高速化が困難となる。さらに、光モジュール１０３を小型化する目的で、ＬＤモジュール及びＰＤモジュールを近接配置する場合には、ＬＤモジュールのレセプタクルから発生した雑音電波（ノイズ）が直接ＰＤモジュールの金属部分で受信されてしまい、雑音電波（ノイズ）の影響を受けやすいという問題がある。
【００１０】
上記問題を解決するためには、レセプタクルや筺体を樹脂やセラミックス等の非金属材料で構成することが考えられるが、この場合、溶接や半田によってレセプタクルと筺体とを接合することは出来ないため、接着等によって接合を行う必要がある。しかしながら、接着等で接合を行った場合、接着剤は湿度に弱く経時的に接着強度が劣化するため、接着強度の長期的信頼性の点に問題がある。また、接着剤から発生するガスが、光素子の駆動安定性に影響を与えてしまい、長期的信頼性に乏しいという問題を有している。
【００１１】
また、従来の光レセプタクル１０１では、挿抜される光コネクタからサージ電流が光レセプタクル１０１の金属部分に飛び、その金属部分から溶接された筺体１６３にサージ電流が伝わり、最後にはモジュールの回路部分や光素子１６１にまで到達し、回路部分や光素子１６１がサージ電流により破壊されるという問題もある。
【００１２】
一方、光レセプタクル１０１を用いて光学回路を形成する場合、光レセプタクル１０１は、金属製のハウジング１４７とホルダ１４０とを接合することにより固定される。ここで、上記雑音電波の発生を防止するために、ホルダ１４０を絶縁材料、例えば、樹脂やセラミックから構成された光レセプタクル１０１では、ホルダ１４０とハウジング１４７との熱膨張係数の差が大きいため、ハウジング１４７と光レセプタクル１０１との間で強固な接合を形成することが困難である。
【００１３】
したがって、本発明の目的は、ノイズの影響を低減するとともに、接合強度の長期的信頼性に優れた光レセプタクルおよび光モジュールを提供することである。
【課題を解決するための手段】
【００１４】
本発明の請求項１に係る光モジュールは、
光ファイバを有するファイバスタブと、
前記ファイバスタブの一端を保持するための貫通孔を有する電気絶縁性のホルダと、
前記ホルダの外表面の少なくとも一部に設けられている接合部材と、
前記ファイバスタブの前記光ファイバに向けて光を出射する、または、前記ファイバスタブの前記光ファイバを介して導出された光を受けるための光素子と、
前記接合部材を介して前記ホルダと接合され、かつ前記光素子を収容する筺体と、
を備えることを特徴とする。
【００１５】
本発明の請求項２に係る光モジュールにおいては、前記接合部材は、リング形状をなしていることを特徴とする。
【００１６】
本発明の請求項３に係る光モジュールにおいては、前記接合部材は、前記ホルダに圧入固定されていることを特徴とする。
【００１７】
本発明の請求項４に係る光モジュールにおいては、前記接合部材は、前記ホルダの後端側の端面まで延在していることを特徴とする。
【００１８】
本発明の請求項５に係る光モジュールにおいては、前記接合部材は、金属からなることを特徴とする。
【００１９】
本発明の請求項６に係る光モジュールにおいては、前記ホルダは、セラミックスからなることを特徴とする。
【発明の効果】
【００２１】
本発明の光レセプタクルは、電気絶縁材料から構成されたホルダの外表面の少なくとも一部に接合部材が設けられている。その結果、当該光レセプタクルでは、ノイズの受信部（アンテナ）になる導電性部分を低減することができるため、周囲から受けるノイズの影響を低減することができる。また、プラグの挿抜によりサージ電流が発生しても、ホルダが電気絶縁材料で構成されているため、上記サージ電流のモジュールの回路部分や光素子への伝播を抑制することができる。その結果、本発明の光レセプタクルにおいては、サージ電流によるモジュールの回路や光素子の破壊を防止することができる。さらに、本発明の光レセプタクルでは、ホルダの外表面に接合部材を設けているため、上記接合部材とハウジングとを、例えば、レーザ溶接、半田、および接着剤で強固に接合固定することが可能となる。
【００２２】
また、本発明の光レセプタクルの接合部材が、ホルダに挿嵌されるリング形状をしている。このように構成することにより、ホルダの外表面に接合部材を容易かつ安価に配設することができ、組立も容易である。
【００２３】
さらに、ホルダに挿嵌された接合部材が、前記ホルダに圧入固定されている。このように構成することにより、接合部材をホルダの外表面に容易かつ安価に配設することができ、また、ホルダと接合部材との間の接合強度を高める上で好適である。したがって、例えばTelcordiaなどの規格で定められている振動試験や衝撃試験のような機械的試験や、高温高湿試験や、温度サイクル試験のような過酷な試験環境下においても充分な耐久性が得られる。すなわち、充分な長期信頼性を有する光レセプタクルを得ることができる。
【００２４】
またさらに、本発明の光レセプタクルの接合部材が、ホルダの後端側の端面まで延在している。このように構成することにより、光素子ユニットの筺体の端面と光レセプタクルのホルダの端面とを、ハウジングを用いることなく直に接合することができる。その結果、光レセプタクルと光素子ユニットとを簡易に接合することができるため、光モジュールの組み立てを簡略化できる。
【００２５】
またさらに、本発明の光レセプタクルの接合部材は、金属からなる。このように構成することにより、接合部材とハウジングとを、例えば、レーザ溶接、半田でより強固に接合固定することが可能となる。
【００２６】
さらにまた、本発明の光レセプタクルの電気絶縁性ホルダが、セラミックスで構成されている。このように構成することにより、スリーブを保護するスリーブケースを設ける場合、例えば、金属やセラミックスからなるスリーブケースをホルダに対して圧入することにより容易にかつ強固に接合固定することができる。
【００２７】
本発明の光モジュールは、上述した光レセプタクルが使用されている。したがって、本発明の光モジュールでは、ノイズの受信部（アンテナ）になる導電性部分を低減することができるために周囲から受けるノイズの影響を低減することができるとともに、接合強度の長期的信頼性が優れている。
【発明を実施するための最良の形態】
【００２８】
図１は、本発明の一実施形態に係る光レセプタクル１の断面を示している。光レセプタクル１は、ファイバスタブ１０と、スリーブ２０と、スリーブケース３０と、ホルダ４０とを備えている。なお、図１の左側に示したプラグ５０は、プラグ用フェルール５１の軸心方向（長手方向）に延在する貫通孔の内部に光ファイバ５２の一端部を挿入し、且つ、例えば接着剤により接着固定したものである。
【００２９】
ファイバスタブ１０は、ファイバスタブ用フェルール１１の軸心方向（長手方向）に延在する貫通孔の内部に光ファイバ１２を挿入し、且つ、例えば接着剤で接着固定された略円柱状部材である。また、ファイバスタブ１０は、対向配置されるプラグ５０と光学的に接続される。ファイバスタブ１０の先端面１０ａはアール面（例えば曲率半径が５〜３０ｍｍ）である。このような構成は、プラグ５０との間の接続損失を低減するうえで好適である。ファイバスタブ１０の後端面１０ｂは、該ファイバスタブ１０の軸心に対して所定の角度（例えば４〜１０°）で傾斜している。このような構成は、例えば光素子（ＬＥＤやＬＤなど）から出射された光が光ファイバ１２の端面で反射し、反射光として該光素子に戻ることを防止する上で好適である。
【００３０】
フェルール１１は、光ファイバ１２を保護するとともに、後述するスリーブ２０と協働してファイバスタブ１０とプラグ５０との同心度を高めるのに寄与する部材である。フェルール１１を構成する材料としては、酸化ジルコニウム（ジルコニア）、酸化アルミニウム（アルミナ）、ムライト、窒化ケイ素、炭化ケイ素および窒化アルミニウムなどの単体もしくはこれらを主成分として含むセラミックス、結晶化ガラスなどのガラスセラミックス、燐青銅、ベリリウム銅、黄銅、ステンレスなどの金属、エポキシや液晶ポリマなどのプラスチックスなどが使用され、とりわけ耐候性や靭性に優れたジルコニア系セラミックス（ジルコニアを主成分とするセラミックス）が好適である。さらに、ジルコニア系セラミックスの中でも、酸化ジルコニウム（ＺｒＯ２）を主成分とし、Ｙ２Ｏ３、ＣａＯ、ＭｇＯ、ＣｅＯ２、Ｄｙ２Ｏ３などからなる群より選択される少なくとも一種を安定化剤として含む部分安定化ジルコニアセラミックス（正方晶の結晶が主体）は、耐摩耗性および弾性変形性の観点から好適である。
【００３１】
光ファイバ１２は、光を導通（伝播）するためのものである。光ファイバ１２としては、石英系光ファイバ、プラスチック系光ファイバおよび多成分ガラス系光ファイバなどが使用される。
【００３２】
円筒形状をしたスリーブ２０は、ファイバスタブ１０およびプラグ５０が挿入される貫通孔２１を有し、ファイバスタブ１０とプラグ５０との間の調心機能を担っている。スリーブ２０には、後方側の開放端２１ａからファイバスタブ１０が挿入され、先端側の開放端２１ｂからプラグ５０が挿入される。本実施形態に係るスリーブ２０は、長手方向に延在するスリット（図示せず）を有する、いわゆる割りスリーブである。割り型のスリーブ２０を使用する場合、スリーブ２０内に挿入されるプラグ５０に対して作用する把持力を高めるべく、貫通孔２１の孔径はプラグの外径より若干小さく（例えば、貫通孔２１へのファイバスタブ１０挿入時に該ファイバスタブ１０に作用する圧力が０．９８Ｎ以上となるように）設定するのが好ましい。スリーブ２０としては、割り型のスリーブに代えて、いわゆる精密スリーブ（スリット無し）を使用することができる。上述したフェルール１１と同様の材料が、スリーブ２０の材料として使用される。
【００３３】
スリーブケース３０は、先端側に開口部３０ａを有し、後端側に接合部３０ｂを有する、スリーブ２０を収容するための略円筒状部材である。スリーブケース３０において、スリーブ２０を収容するための収納空間の内径は、スリーブ２０の外径より若干（例えば６０μｍ）大きめに寸法構成されている。開口部３０ａは、プラグ５０の挿入時に該プラグ５０を案内するための部位であり、テーパ状に構成されている。開口部３０ａの開口径はプラグ５０の外径より若干（例えば０．２ｍｍ）大きめに寸法構成されている。接合部３０ｂは、ホルダ４０に接合するための部位である。スリーブケース３０を構成する材料としては、合成樹脂（熱可塑性樹脂および熱硬化性樹脂など）、金属（ステンレス、銅、鉄およびニッケルなど）、セラミックス（酸化アルミニウム（アルミナ）および酸化ジルコニウム（ジルコニア）など）、ガラス（石英など）などが使用され、とりわけ電気絶縁性や融着性の観点から熱可塑性樹脂が好適である。熱可塑性樹脂としては、ナイロン樹脂、液晶ポリマ樹脂、ポリアセタール樹脂、ポリブチレンテレフタレート樹脂、ポリエーテルイミド樹脂およびポリカーボネート樹脂などが使用され、熱硬化性樹脂としては、エポキシ樹脂やユリア樹脂などが使用される。また、スリーブケース３０には、機械的強度を高めるべく、ガラス繊維やガラス粒子などのフィラーを添加してもよい。
【００３４】
ホルダ４０は、ファイバスタブ１０を保持するための部材であり、ファイバスタブ１０の保持機能を担う保持部４２ａを有しており、ファイバスタブ１０が嵌合可能に構成されている。そして、ホルダ４０の外表面の少なくとも一部には、接合部材４５が設けられている。保持部４２ａにおけるファイバスタブ１０との当接面の算術平均粗さは、ファイバスタブ１０を安定的に保持するために、０．１μｍ以上に設定するのが好適である。また、磁石を固定するために、ホルダ４０の後端面にザグリ面を設けることができる。ザグリ面の外径は、磁石の外径よりもわずかに大きく（０．０２〜０．８ｍｍ）、ザグリ深さは０．１〜２ｍｍ程度である。ホルダ４０を構成する材料としては、合成樹脂（熱可塑性樹脂および熱硬化性樹脂など）、セラミックス（酸化アルミニウム（アルミナ）および酸化ジルコニウム（ジルコニア）など）、ガラス（石英など）などが使用され、とりわけ、耐候性や靭性に優れたジルコニア系セラミックス（ジルコニアを主成分とするセラミックス）が好適である。さらに、ジルコニア系セラミックスの中でも、酸化ジルコニウム（ＺｒＯ２）を主成分とし、Ｙ２Ｏ３、ＣａＯ、ＭｇＯ、ＣｅＯ２、Ｄｙ２Ｏ３などからなる群より選択される少なくとも一種を安定化剤として含む部分安定化ジルコニアセラミックス（正方晶の結晶が主体）は、耐摩耗性および弾性変形性の観点から好適である。
【００３５】
接合部材４５は、光モジュール３を作成する際に光素子ユニット６０の筺体６３と光レセプタクル１と接合するための部材である。接合部材４５は、スリーブケース３０と光素子ユニット６０の筺体６３との電気絶縁性を容易にするため、ホルダの外表面の全面ではなくて外表面の一部分のみに形成されるのが好適である。接合部材４５を構成する材料としては、ステンレス、銅、鉄およびニッケルなどの金属材料が使用され、とりわけ、ＹＡＧ溶接性に優れているＳＵＳ３０４やＳＦ２０Ｔ等のステンレス材料が好適である。
【００３６】
接合部材４５は、ホルダ４０の外側に挿嵌されるリング形状（図１に図示）や、ホルダ４０の外側に挿嵌されるキー形状（図２（ａ）に図示）や、ホルダ４０の外側に金属層が形成されたメタライズ（図２（ｂ）に図示）等とすることができる。光モジュール３を作成する際に光素子ユニット６０と光レセプタクル１とを接合固定する際に一般にＹＡＧ溶接が行われることから、図１に示したリング形状が好適である。接合部材４５のホルダ４０への固定方法は、圧入、接着、ネジ固定等が利用可能であり、とりわけ、固定の容易さ、固定強度、固定の信頼性の観点から、圧入が好適である。また、ＹＡＧ溶接を接合部材４５の角部でも行えるように、接合部材４５が後端側（すなわち光素子ユニット６０側）の端面まで延在していることが望ましい。
【００３７】
光レセプタクル１と光素子ユニット６０との接合は、ホルダ４５の後端側の端部まで延在する接合部材４５と筺体６３とを直接的に接合するという直接接合形態とすることができる。また、光レセプタクル１と光素子ユニット６０との接合は、図３に示したように、金属製のハウジング４７を介在させて接合部材４５と筺体６３とを接合するという間接接合形態であってもよい。いずれの場合においても、ＹＡＧ溶接等によって、光レセプタクル１と光素子ユニット６０との間で強固な接合を形成することが可能である。
【００３８】
スリーブケース３０とホルダ４０とは、接着または圧入によって固定されている。接着剤で固定する場合、接合部３０ｂと接合部４１ａとの間に接着剤（図示せず）を介在させることにより、スリーブケース３０とホルダ４０とが固定される。接着剤としては、充分な接合強度を確保する観点から、紫外線硬化エポキシ樹脂、熱硬化性エポキシ樹脂、紫外線および熱硬化併用のエポキシ樹脂、紫外線硬化アクリル樹脂、熱硬化性アクリル樹脂、紫外線硬化ポリイミド樹脂、熱硬化性ポリイミド樹脂などが使用される。
【００３９】
本実施形態に係る光レセプタクル１は、電気絶縁性部材を含んで構成されている。そのため、光レセプタクル１では、光レセプタクル１に占める導電性部分（典型的には金属により構成される部分）の割合を低減することができる。したがって、光レセプタクル１では、ノイズの受信部（アンテナ）になる導電性部分を低減することができるため、周囲から受けるノイズの影響を低減することができる。
【００４０】
また、光レセプタクル１では、スリーブケース３０の接合部３０ｂとホルダ４０の接合部４１ａとが、接着剤による接着または圧入によって固定されている。そのため、光レセプタクル１では、スリーブケース３０とホルダ４０との間の接合強度を充分に確保することができるので、例えばTelcordiaなどの規格で定められている振動試験や衝撃試験のような機械的強度試験や、高温高湿試験や、温度サイクル試験のような過酷な試験環境下においても充分な耐久性が得られる。すなわち、充分な長期信頼性を有する光レセプタクル１を得ることができる。
【００４１】
図３は、本発明に係る光レセプタクル１を備える光モジュール３の断面を示している。光モジュール３は、光レセプタクル１および光素子ユニット６０を備える。光素子ユニット６０は、光素子６１と、レンズ６２と、筐体６３とを備える。
【００４２】
光素子６１は、ファイバスタブ１０の光ファイバ１２に向けて光を出射するための発光素子、または、ファイバスタブ１０の光ファイバ１２を介して導出された光を受けるための受光素子である。発光素子としては、半導体レーザやＬＥＤなどの発光ダイオードなどが使用され、受光素子としては、受信用のＰＤ（フォトダイオード）などが使用される。
【００４３】
レンズ６２は、光素子６１が発光素子の場合は該発光素子から出射された光を集光してファイバスタブ１０の光ファイバ１２に導入する機能を担い、光素子６１が受光素子の場合はファイバスタブ１０の光ファイバ１２を介して導出された光を集光して該受光素子に導入する機能を担う部材である。
【００４４】
筐体６３は、光素子６１およびレンズ６２を収容するための部材であり、光レセプタクル１に対して例えば溶接により接合固定されている。筐体６３を構成する材料としては、ステンレス、銅、鉄、ニッケルなどの溶接可能なものが利用可能であり、とりわけ耐腐食性や溶接性の観点からステンレスが好適である。
【００４５】
光レセプタクル１および光モジュール３は、ファイバスタブ１０の後端面１０ｂ側に、ファイバスタブ１０に向けて光を出射するための光源への戻り光を抑制する光アイソレータ６５を有してもよい。その場合、光アイソレータ素子６５が光レセプタクル１のファイバスタブ１０の後端に固定され、磁石６６がホルダ４０のザグリ面に固定され、光アイソレータ素子６５が磁石６６の貫通孔に配置された構造となっている。
【００４６】
本実施形態に係る光レセプタクル１が備えるホルダ４０は、電気絶縁性材料を含んで構成されている。そのため、光レセプタクル１では、磁石６６がホルダ４０のザグリ面に引き寄せられて位置ずれする現象が起こらないので、長期的に安定した特性を得ることができる。
【００４７】
以上、本発明の実施形態を示したが、本発明はこれに限定されるものではなく、本発明の技術的思想から逸脱しない範囲内で様々の変更が可能である。
【００４８】
次に、本発明の実施例および比較例について説明する。
【実施例】
【００４９】
＜光トランシーバの作製＞まず、ジルコニアセラミックスからなるフェルールの貫通孔に光ファイバを接着固定することにより、ファイバスタブを作製した。ファイバスタブは、その先端面をアール面（曲率半径：２０ｍｍ）とし、その後端面を傾斜面（傾斜角：６°）とした。次に、ジルコニアセラミックスを射出成形をし、後加工として切削および研削加工を施すことによりホルダを作製した。ステンレスを切削加工したリング形状の接合部材をホルダに圧入した。次に、作製したファイバスタブにおけるフェルールの後端部側を、作製したホルダの保持部に圧入した。次に、ホルダに圧入されたファイバスタブの先端部側を、ジルコニアからなる割スリーブの貫通孔に一端側から挿入した。スリーブの構成材料はジルコニアセラミックスとした。次に、ファイバスタブの一部が挿入されたスリーブを覆うようにして、スリーブケースの接合部とホルダの接合部とを圧入により固定した。スリーブケースの構成材料はステンレスとした。
【００５０】
さらに、得られた光レセプタクルに、光素子として半導体レーザおよび受信用のＰＤ（フォトダイオード）と石英ガラスにより構成された球面レンズを備えたステンレス製の筐体をＹＡＧ溶接することで、ＬＤモジュールとＰＤモジュールを作製し、これらをプラスチックケース内に並列させ、本実施例に係る光トランシーバを作製した。
【００５１】
＜受信感度測定試験＞作製したままの状態にある本実施例の光トランシーバに直流電源装置（商品名：ＰＡＢ１８−１Ａ、ＫＩＫＵＳＵＩ製）を取り付け、モジュールを駆動出来るようにするとともに、デジタルデータアナライザ（商品名：ＭＰ１６３０Ｂ、アンリツ製）を接続してパルス信号の送信および受信を出来るようにした。また、ＬＤモジュールとＰＤモジュール間は光コネクタを両端に配置したジャンパーケーブルにより接続を行った。これにより、デジタルデータアナライザから送信されたパルス信号がＬＤモジュールを経由して光信号となり、この光信号が光コネクタを両端に配置したジャンパーケーブルからＰＤモジュールに伝わり再びパルス信号に変換されて、デジタルデータアナライザにより受信される。
【００５２】
そして、本実施例に係る光トランシーバの入力光パワーに対する、ビットエラーレートを測定し、その結果を図５に示した。
【００５３】
［比較例］
＜光トランシーバの作製＞まず、ジルコニアセラミックスからなるフェルールの貫通孔に光ファイバを接着固定することにより、ファイバスタブを作製した。ファイバスタブは、その先端面をアール面（曲率半径：２０ｍｍ）とし、その後端面を傾斜面（傾斜角：６°）とした。次に、作製したファイバスタブにおけるフェルールの後端部側をホルダに圧入した。ホルダの構成材料はステンレスとした。次に、作製したファイバスタブにおけるフェルールの後端部側を、作製したホルダの保持部に圧入した。次に、ホルダに圧入されたファイバスタブの先端部側を、ジルコニアからなる割スリーブの貫通孔に一端側から挿入した。スリーブの構成材料はジルコニアセラミックスとした。次に、ファイバスタブの一部が挿入されたスリーブを覆うようにして、スリーブケースの接合部とホルダの接合部とを圧入により接合した。スリーブケースの構成材料はステンレスとした。
【００５４】
さらに得られたレセプタクルに、光素子として半導体レーザおよび受信用のＰＤ（フォトダイオード）と石英ガラスにより構成された球面レンズを備えたステンレス製の筐体をＹＡＧ溶接することで、ＬＤモジュールとＰＤモジュールを作製し、これらをプラスチックケース内に並列させ、本比較例に係る光トランシーバを作製した。
【００５５】
＜受信感度測定試験＞作製したままの状態にある本比較例の光トランシーバに直流電源装置（商品名：ＰＡＢ１８−１Ａ、ＫＩＫＵＳＵＩ製）を取り付け、モジュールを駆動出来るようにするとともに、デジタルデータアナライザ（商品名：ＭＰ１６３０Ｂ、アンリツ製）を接続してパルス信号の送信および受信を出来るようにした。また、ＬＤモジュールとＰＤモジュール間は光コネクタを両端に配置したジャンパーケーブルにより接続を行った。これにより、デジタルデータアナライザから送信されたパルス信号がＬＤモジュールを経由して光信号となり、この光信号が光コネクタを両端に配置したジャンパーケーブルからＰＤモジュールに伝わり再びパルス信号に変換されて、デジタルデータアナライザにより受信される。
【００５６】
そして、本比較例に係る光トランシーバの入力光パワーに対する、ビットエラーレートを測定し、その結果を図５に示した。
【００５７】
＜評価＞図５に示すように、比較例の光トランシーバに比べ、本発明の光トランシーバでは、ビットエラーが減少しており、０．２５ｄＢｍ程度受信感度の向上が見られた。以上のことから、実施例の光トランシーバは、比較例の光トランシーバに比べて、周囲から受けるノイズの影響を低減することができた。
【図面の簡単な説明】
【００５８】
【図１】本発明の一実施形態に係る光レセプタクルの断面図である。
【図２】他の実施形態を示す断面図である。
【図３】図１に示した光レセプタクルを使用した光モジュールの断面図である。
【図４】従来技術に係る光レセプタクルの断面図である。
【図５】光トランシーバにおける入力光パワー及びビットエラーレートに関する測定結果を示す図である。
【符号の説明】
【００５９】
１  光レセプタクル
３  光モジュール
１０  ファイバスタブ
１２  光ファイバ
２０  スリーブ
３０  スリーブケース
４０  ホルダ
４５  接合部材
４７  ハウジング
５０  プラグ
５２  光ファイバ
６０  光素子ユニット
６１  光素子
６３  筐体
【図１】
0004672488.tif 000002
【図２】
0004672488.tif 000003
【図３】
0004672488.tif 000004
【図４】
0004672488.tif 000005
【図５】
0004672488.tif 000006